(57)【要約】  ユーザ設備（UE）をスケジュールするベースノードが、ACK/NACKおよび／またはサービス要求（SR）の両方のアップリンク（UL）送信が同時にスケジュールされるときにACK/NACKおよび／またはサービス要求（SR）が受信されたかどうかを決定することができるように、通信システムは、多重化方式を組み込む。ベースノードが、UEによるACK/NACKまたはSR ULチャネルのいずれかの選択的な使用を解釈することができるので、著しい複雑性の低減、より良いリンク効率性、およびより高い多重化能力を達成することができる。そのような解釈は、複数のダウンリンク（DL）送信モードが使用され得るときに対して、特に、DL単一入力複数出力（SIMO）、ランク1送信のDL複数入力複数出力（MIMO）、およびランク2送信のDL MIMOに対して拡張されることができる。スケジューリングおよびDL送信モードの知識に基づいて、ベースノードは、UEからの可能な応答のマッピングに起因する多数の可能性をブラインド復号する必要がない。加えて、多重通信方式は、FDDおよびTDDに適用可能である。【選択図】図1
2011511603.tif 000002
【特許請求の範囲】
【請求項１】
多重化アップリンク制御チャネルを送信するための方法であって、
第１および第２の資源をそれぞれ割り当てられている第1および第2の制御チャネルが同時送信を要求していると決定することと、
前記第1および第2の制御チャネルのうち選択されなかった１つを示さないで、選択された１つを示すことのために、前記第１および第２の制御チャネルのうち選択された１つを、前記第１および第２の資源のうち当該対応する１つを用いて送信することと、および
前記第1および第2の制御チャネルの両方を示すことのために、前記第１および第２の制御チャネルのうち選択された１つを、前記第１および第２の資源のうち当該対応していない１つを用いて送信することと
を具備する方法。
【請求項２】
前記第1および第2の制御チャネルは、データの受信の肯定応答およびサービス要求を具備する、請求項1に記載の方法。
【請求項３】
肯定応答およびサービス要求の両方を示すために、サービス要求に割り当てられた資源上でデータの受信に対する肯定応答を送信することと、
サービス要求なしで肯定応答を示すために、肯定応答に割り当てられた資源上でデータの受信に対する肯定応答を送信することと、および
データの受信の肯定応答なしでサービス要求を示すために、前記サービス要求に割り当てられた資源上でサービス要求を送信することと
をさらに具備する、請求項2に記載の方法。
【請求項４】
ダウンリンク（DL）送信モードに基づいて前記サービス要求および前記ACK/NACKを多重化することをさらに具備する、請求項2に記載の方法。
【請求項５】
前記ダウンリンク（DL）送信モードが単一入力複数出力（SIMO）であることを決定することをさらに具備する、請求項4に記載の方法。
【請求項６】
直交位相シフトキーイング（QPSK）変調によってACK/NACKチャネルを利用することによってACKおよびサービス要求を多重化することをさらに具備する、請求項5に記載の方法。
【請求項７】
前記ダウンリンク（DL）送信モードがランク１送信の複数入力複数出力（MIMO）であることを決定することをさらに具備する、請求項4に記載の方法。
【請求項８】
直交位相シフトキーイング（QPSK）変調によってACK/NACKチャネルを利用することによってACKおよびサービス要求を多重化することをさらに具備する、請求項7に記載の方法。
【請求項９】
前記ダウンリンク（DL）送信モードがランク2送信の単一入力複数入力複数出力（MIMO）であることを決定することをさらに具備する、請求項4に記載の方法。
【請求項１０】
2つのダウンリンク・ストリームの成功した受信を肯定応答するためのACKを送信するためにフィードバック制限を実行することによってACKおよびサービス要求を多重化することをさらに具備する、請求項9に記載の方法。
【請求項１１】
直交位相シフトキーイング（QPSK）によってACKおよびサービス要求を変調することをさらに具備する、請求項10に記載の方法。
【請求項１２】
ダウンリンク送信がサービス要求サブフレームに対応するとき単一入力複数出力（SIMO）を選択するためにスケジューリング制限を受信すること、および
直交位相シフトキーイング（QPSK）変調によってACK/NACKチャネルを利用することによってACKおよびサービス要求を多重化することと
をさらに具備する、請求項9に記載の方法。
【請求項１３】
ダウンリンク送信がサービス要求サブフレームに対応するときMIMOランク1を選択するためにスケジューリング制限を受信することと、および
直交位相シフトキーイング（QPSK）変調によってACK/NACKチャネルを利用することによってACKおよびサービス要求を多重化することと
をさらに具備する、請求項9に記載の方法。
【請求項１４】
多重化アップリンク制御チャネルを送信するための少なくとも1つのプロセッサーであって、
第１および第２の資源をそれぞれ割り当てられている第１および第２の制御チャネルが同時送信を要求していると決定するためのモジュールと、
前記第１および第２の制御チャネルのうち選択されなかった１つを示さないで、選択された１つを示すことのために、前記第１および第２の制御チャネルのうち選択された１つを、前記第1および第2の資源のうち当該対応する１つを用いて送信するためのモジュールと、および
前記第1および第2の制御チャネルの両方を示すことのために、前記第１および第２の制御チャネルのうち選択された１つを、前記第１および第２の資源のうち当該対応していない１つを用いて送信するためのモジュールと
を具備するプロセッサー。
【請求項１５】
コンピュータ可読記憶装置を具備する、多重化アップリンク制御チャネルを送信するためのコンピュータ・プログラム・プロダクトであって、
第１および第２の資源をそれぞれ割り当てられている第1および第2の制御チャネルが同時送信を要求しているとコンピュータに決定させるための１セットのコードと、
前記第1および第2の制御チャネルのうち選択されなかった１つを示さないで、選択された１つを示すことのために、前記第１および第２の制御チャネル選択された１つを、前記第１および第２の資源のうち当該対応する１つを用いて前記コンピュータに送信させるための1セットのコードと、および
前記第1および第2の制御チャネルの両方を示すことのために、前記第１および第２の制御チャネルのうち選択された１つを、前記第１および第２の資源のうち当該対応していない１つを用いて前記コンピュータに送信させるための１セットのコードと
を具備するコンピュータ・プログラム・プロダクト。
【請求項１６】
多重化アップリンク制御チャネルを送信するための装置であって、
第１および第２の資源をそれぞれ割り当てられている第1および第2の制御チャネルが同時送信を要求していると決定するための手段と、
前記第１および第２の制御チャネルのうち選択されなかった１つを示さないで、選択された１つを示すことのために、前記第１および第２の制御チャネルのうち選択された１つを、前記第１および第２の資源のうち当該対応する１つを用いて送信するための手段と、および
前記第1および第2の制御チャネルの両方を示すことのために、前記第１および第２の制御チャネルのうち選択された１つを、前記第１および第２の資源のうち当該対応していない１つを用いて送信するための手段と
を具備する装置。
【請求項１７】
多重化アップリンク制御チャネルを送信するための装置であって、
第１および第２の資源をそれぞれ割り当てられている第1および第2の制御チャネルが同時送信を要求していると決定するための計算プラットフォームと、
前記第1および第2の制御チャネルのうち選択されなかった１つを示さないで、選択された１つを示すことのために、前記第１および第２の制御チャネルのうち選択された１つを、前記第１および第２の資源のうち当該対応する１つを用いて送信するための送信機とを具備する装置であって、
前記送信機はさらに、前記第1および第2の制御チャネルの両方を示すことのために、前記第１および第２の制御チャネルのうち選択された１つを、前記第１および第２の資源のうち当該対応する１つを用いて送信するためである、装置。
【請求項１８】
前記第1および第2の制御チャネルは、データの受信の肯定応答およびサービス要求を具備する、請求項17に記載の装置。
【請求項１９】
前記送信機はさらに、肯定応答およびサービス要求の両方を示すために、サービス要求に割り当てられた資源上でデータの受信に対する肯定応答を送信すること、
サービス要求なしで肯定応答を示すために、肯定応答に割り当てられた資源上でデータの受信に対する肯定応答を送信すること、および
データの受信の肯定応答なしでサービス要求を示すために、前記サービス要求に割り当てられた資源上でサービス要求を送信すると
のためである、請求項18に記載の装置。
【請求項２０】
ダウンリンク（DL）送信モードに基づいて前記サービス要求および前記ACK/NACKを多重化するための多重化装置をさらに具備する、請求項18に記載の装置。
【請求項２１】
前記計算プラットフォームはさらに、前記ダウンリンク（DL）送信モードが単一入力複数出力（SIMO）であることを決定するためである、請求項20に記載の装置。
【請求項２２】
前記多重化装置はさらに、直交位相シフトキーイング（QPSK）変調によってACK/NACKチャネルを利用することによってACKおよびサービス要求を多重化するためである、請求項21に記載の装置。
【請求項２３】
前記計算プラットフォームはさらに、前記ダウンリンク（DL）送信モードがランク１送信の複数入力複数出力（MIMO）であることを決定するためである、請求項20に記載の装置。
【請求項２４】
前記多重化装置はさらに、直交位相シフトキーイング（QPSK）変調によってACK/NACKチャネルを利用することによってACKおよびサービス要求を多重化するためである、請求項23に記載の装置。
【請求項２５】
前記計算プラットフォームはさらに、前記ダウンリンク（DL）送信モードがランク2送信の単一入力複数入力複数出力（MIMO）であることを決定するためである、請求項20に記載の装置。
【請求項２６】
前記多重化装置はさらに、2つのダウンリンク・ストリームの成功した受信を肯定応答するためのACKを送信するためにフィードバック制限を実行することによってACKおよびサービス要求を多重化するためである、請求項25に記載の装置。
【請求項２７】
前記受信機はさらに、直交位相シフトキーイング（QPSK）によってACKおよびサービス要求を復調するためである、請求項26に記載の装置。
【請求項２６】
前記受信機はさらに、ダウンリンク送信がサービス要求サブフレームに対応するとき単一入力複数出力（SIMO）を選択するためにスケジューリング制限を受信するためであり、および前記送信機は、直交位相シフトキーイング（QPSK）変調によってACK/NACKチャネルを利用することによってACKおよびサービス要求を多重化するためである、請求項23に記載の装置。
【請求項２９】
前記受信機はさらに、ダウンリンク送信がサービス要求サブフレームに対応するときMIMOランク1を選択するためにスケジューリング制限を受信すること、および直交位相シフトキーイング（QPSK）変調によってACK/NACKチャネルを利用することによってACKおよびサービス要求を多重化するためである、請求項30に記載の装置。
【請求項３０】
多重化アップリンク制御チャネルを受信するための方法であって、
第１および第２の資源をそれぞれ割り当てられている第１および第２の制御チャネルが同時送信を要求していると決定することと、
前記第１および第２の制御チャネルのうち選択されなかった１つを示さないで、選択された１つを示すことのために、前記第１および第２の制御チャネルのうち選択された１つを、前記第１および第２の資源のうち当該対応する１つを用いて受信することと、および
前記第１および第２の制御チャネルの両方を示すことのために、前記第１および第２の制御チャネルの選択された１つを、前記第１および第２の資源のうち当該対応していない１つを用いて受信することと
を具備する方法。
【請求項３１】
前記第1および第2の制御チャネルは、データの受信の肯定応答およびサービス要求を具備する、請求項30に記載の方法。
【請求項３２】
肯定応答およびサービス要求の両方を示すために、サービス要求に割り当てられた資源上でデータの受信に対する肯定応答を受信することと、
サービス要求なしで肯定応答を示すために、肯定応答に割り当てられた資源上でデータの受信に対する肯定応答を受信することと、および
データの受信の肯定応答なしでサービス要求を示すために、前記サービス要求に割り当てられた資源上でサービス要求を受信することと
をさらに具備する、請求項31に記載の方法。
【請求項３３】
ダウンリンク（DL）送信モードを決定することによって前記サービス要求および前記ACK/NACKを逆多重化することをさらに具備する、請求項31に記載の方法。
【請求項３４】
前記ダウンリンク（DL）送信モードが単一入力複数出力（SIMO）であることを決定することをさらに具備する、請求項33に記載の方法。
【請求項３５】
直交位相シフトキーイング（QPSK）変調ACK/NACKチャネルを復調することによってACKおよびサービス要求を逆多重化することをさらに具備する、請求項34に記載の方法。
【請求項３６】
前記ダウンリンク（DL）送信モードがランク１送信の複数入力複数出力（MIMO）であることを決定することをさらに具備する、請求項33に記載の方法。
【請求項３７】
直交位相シフトキーイング（QPSK）変調ACK/NACKチャネルを復調することによってACKおよびサービス要求を逆多重化することをさらに具備する、請求項36に記載の方法。
【請求項３８】
前記ダウンリンク（DL）送信モードがランク2送信の単一入力複数入力複数出力（MIMO）であることを決定することをさらに具備する、請求項33に記載の方法。
【請求項３９】
2つのダウンリンク・ストリームの成功的な受信を肯定応答するためのACKを送信するためにフィードバック制限を課すことによってACKおよびサービス要求を逆多重化することをさらに具備する、請求項38に記載の方法。
【請求項４０】
直交位相シフトキーイング（QPSK）ACKおよびサービス要求を復調することをさらに具備する、請求項39に記載の方法。
【請求項４１】
ダウンリンク送信がサービス要求サブフレームに対応するとき単一入力複数出力（SIMO）を選択するためにスケジューリング制限を送信することと、および
直交位相シフトキーイング（QPSK）変調ACK/NACKチャネルを復調することによってACKおよびサービス要求を逆多重化することと
をさらに具備する、請求項42に記載の方法。
【請求項４２】
ダウンリンク送信がサービス要求サブフレームに対応するときMIMOランク1を選択するためにスケジューリング制限を送信することと、および
直交位相シフトキーイング（QPSK）変調ACK/NACKチャネルを復調することによってACKおよびサービス要求を逆多重化することと
をさらに具備する、請求項38に記載の方法。
【請求項４３】
多重化アップリンク制御チャネルを受信するための少なくとも1つのプロセッサーであって、
第１および第２の資源をそれぞれ割り当てられている第1および第2の制御チャネルが同時送信を要求していると決定するためのモジュールと、
前記第1および第2の制御チャネルのうち選択されなかった１つを示さないで、選択された１つを示すことのために、前記第１および第２の制御チャネルのうち選択された１つを、前記第１および第２の資源のうち当該対応する１つを用いて受信するためのモジュールと、および
前記第1および第2の制御チャネルの両方を示すことのために、前記第１および第２の制御チャネルのうち選択された１つを、前記第１および第２の資源のうち当該対応していない１つを用いて受信するためのモジュールと
を具備するプロセッサー。
【請求項４４】
コンピュータ可読記憶装置を具備する、多重化アップリンク制御チャネルを受信するためのコンピュータ・プログラム・プロダクトであって、
第１および第２の資源をそれぞれ割り当てられている第1および第2の制御チャネルが同時送信を要求しているとコンピュータに決定させるための1セットのコードと、
前記第1および第2の制御チャネルのうち選択されなかった１つを示さないで、選択された１つを示すことのために、前記第１および第２の制御チャネルのうち選択された１つを、前記第１および第２の資源のうち当該対応する１つを用いて前記コンピュータに受信させるための１セットのコードと、および
前記第１および第２の制御チャネルの両方を示すことのために、前記第１および第２の制御チャネルのうち選択された１つを、前記第１および第２の資源のうち当該対応していない１つを用いて前記コンピュータに受信させるための１セットのコードと
を具備するコンピュータ・プログラム・プロダクト。
【請求項４５】
多重化アップリンク制御チャネルを受信するための装置であって、
第１および第２の資源をそれぞれ割り当てられている第1および第2の制御チャネルが同時送信を要求していると決定するための手段と、
前記第1および第2の制御チャネルのうち選択されなかった１つを示さないで、選択された１つを示すことのために、前記第１および第２の制御チャネルのうち選択された１つを、前記第１および第２の資源のうち当該対応する１つを用いて受信するための手段と、および
前記第1および第2の制御チャネルの両方を示すことのために、前記第１および第２の制御チャネルのうち選択された１つを、前記第１および第２の資源のうち当該対応していない１つを用いて受信するための手段と
を具備する装置。
【請求項４６】
多重化アップリンク制御チャネルを受信するための装置であって、
第１および第２の資源をそれぞれ割り当てられている第1および第2の制御チャネルが同時送信を要求していると決定するための計算プラットフォームと、
前記第１および第２の制御チャネルのうち選択されなかった１つを示さないで、選択された１つを示すことのために、前記第１および第２の制御チャネルのうち選択された１つを、前記第１および第２の資源のうち当該対応する１つを用いて受信するための受信機とを具備する装置であって、
前記受信機はさらに、前記第1および第2の制御チャネルの両方を示すことのために、前記第１および第２の制御チャネルのうち選択された１つを、前記第１および第２の資源のうち当該対応していない１つを用いて受信するためである、装置。
【請求項４７】
前記第1および第2の制御チャネルは、データの受信の肯定応答およびサービス要求を具備する、請求項46に記載の装置。
【請求項４８】
前記受信機はさらに、肯定応答およびサービス要求の両方を示すために、サービス要求に割り当てられた資源上でデータの受信に対する肯定応答を受信すること、
サービス要求なしで肯定応答を示すために、肯定応答に割り当てられた資産上でデータの受信に対する肯定応答を受信すること、および
データの受信の肯定応答なしでサービス要求を示すために、前記サービス要求に割り当てられた資源上でサービス要求を受信すること
のためである、請求項47に記載の装置。
【請求項４９】
ダウンリンク（DN）送信モードを決定することによって前記サービス要求および前記ACK/NACKを逆多重化するための逆多重化装置をさらに具備する、請求項47に記載の装置。
【請求項５０】
前記計算プラットフォームはさらに、前記ダウンリンク（DL）送信モードが単一入力複数出力（SIMO）であることを決定するためである、請求項49に記載の装置。
【請求項５１】
前記逆多重化装置はさらに、直交位相シフトキーイング（QPSK）変調ACK/NACKチャネルを復調することによってACKおよびサービス要求を逆多重化するためである、請求項50に記載の装置。
【請求項５２】
前記計算プラットフォームはさらに、前記ダウンリンク（DL）送信モードがランク1送信の多重入力多重出力（MIMO）であることを決定するためである、請求項49に記載の装置。
【請求項５３】
前記多重化装置はさらに、直交位相シフトキーイング（QPSK）変調ACK/NACKチャネルを復調することによってACKおよびサービス要求を逆多重化するためである、請求項52に記載の装置。
【請求項５４】
前記計算プラットフォームはさらに、前記ダウンリンク（DL）送信モードがランク2送信の単一入力複数入力複数出力（MIMO）であることを決定するためである、請求項49に記載の装置。
【請求項５５】
前記計算プラットフォームはさらに、2つのダウンリンク・ストリームの成功的な受信を肯定応答するためのACKを送信するためにフィードバック制限を課すことによってACKおよびサービス要求を逆多重化するためである、請求項54に記載の装置。
【請求項５６】
前記受信機はさらに、直交位相シフトキーイング（QPSK）ACKおよびサービス要求を復調するためである、請求項55に記載の装置。
【請求項５７】
前記送信機はさらに、ダウンリンク送信がサービス要求サブフレームに対応するとき、単一入力複数出力（SIMO）を選択するためにスケジューリング制限を送信するためであり、前記受信機はさらに、直交位相シフトキーイング（QPSK）変調ACK/NACKチャネルを復調することによってACKおよびサービス要求を逆多重化するためである、請求項54に記載の装置。
【請求項５８】
ダウンリンク送信がサービス要求サブフレームに対応するとき、前記送信機はさらに、MIMOランク1を選択するためにスケジューリング制限を送信するためであり、前記受信機はさらに、直交位相シフトキーイング（QPSK）変調ACK/NACKチャネルを復調することによってACKおよびサービス要求を逆多重化するためである、請求項54に記載の装置。
【発明の詳細な説明】
【関連出願の参照】
【０００１】
本件特許出願は、「ENHANCED MULTIPLEXING SYSTEM AND TECHNIQUE FOR UPLINK CONTROL CHANNELS」という名称の2008年2月8日付けの米国仮出願第61/027,242号に基づいて優先権を主張するものであって、当該米国仮出願は、本件出願の出願人に譲渡され、参照によって、本件出願の明細書に明白に組み込まれている。
【技術分野】
【０００２】
本件明細書において説明される例示的および非制限的態様は、一般に、ワイヤレス通信システム、方法、コンピュータ・プログラム・プロダクトおよびデバイスに関係し、より詳細には、ACK/NAKチャネルおよびサービス要求（SR）チャネルの両方が同時にスケジュールされるときにACK/NAKチャネルおよびサービス要求（SR）チャネルについての情報を効率的に伝達するための技術に関係する。
【背景技術】
【０００３】
ワイヤレス通信システムは、音声、データなどのような通信コンテンツの様々なタイプを提供するために広く展開されている。これらのシステムは、利用可能なシステム資源（例えば、帯域幅および送信電力）を共有することによって複数のユーザとの通信をサポートすることができる多元接続システムであることができる。そのような多元接続システムの例は、符号分割多元接続（CDMA）システム、時分割多元接続（TDMA）システム、周波数分割多元接続（FDMA）システム、3ＧＰＰ長期展開（LTE）システム、および直交周波数分割多元接続（OFDM）システムを含む。
【０００４】
一般に、ワイヤレス多元接続通信システムは、複数のワイヤレス端末のための通信を同時にサポートすることができる。各端末は、順方向および逆方向リンク上の送信によって１つまたは複数の基地局と通信する。順方向リンク（つまりダウンリンク）とは、基地局から端末までの通信リンクのことをいい、逆方向リンク（つまりアップリンク）とは、端末から基地局までの通信リンクのことをいう。この通信リンクは、単一入力単一出力、複数入力単一出力、または複数入力複数出力（ＭＩＭＯ）システムによって確立されることができる。
【０００５】
ユニバーサルモバイル電気通信システム（UMTS）は、第３世代（3G）セル電話技術のうちの１つである。UTRAN（UMTS地上無線接続ネットワークの略）は、ノードBおよびUMTS無線接続ネットワークを構成する無線ネットワーク制御装置の集合的な用語である。この通信ネットワークは、リアルタイムの回線交換からIPベースのパケット交換まで多くのトラフィックタイプを搬送することができる。UTRANは、UE（ユーザ設備）とコアネットワークとの間の接続性を可能にする。UTRANは、ノードBと呼ばれる基地局、および無線ネットワーク制御装置（RNC）を含む。RNCは、１つまたは複数のノードBのための制御機能性を提供する。典型的な実装は、複数のノードBをサーブする中央オフィスに位置する別個のRNCを有するが、ノードBおよびRNCは、同じデバイスであってもよい。ノードBおよびRNCは、物理的に別個でなくてもよいという事実にもかかわらず、これらの間には論理的インターフェースがある。この論理的インターフェースは、Iubとして知られている。RNCおよびRNCの対応するノードBは、無線ネットワークサブシステム（RNS）と呼ばれる。2つ以上のRNSがUTRANに存在し得る。
【０００６】
3GPP LTE（Long Term Evolution）は、将来の要求に対処するためにUMTSモバイル電話規格を改善するための第３世代パートナーシップ・プロジェクト（3GPP）内のプロジェクトに与えられた名称である。3GPP LTEの目標は、効率を上げること、コストを低減すること、サービスを向上すること、新しいスペクトラムの機会を使用すること、および他のオープン規格とのより良い統合である。LTEシステムは、EUTRA（Evolved UTRA）およびEUTRAN（Evolved UTRAN）の仕様書のシリーズにおいて説明されている。
【０００７】
LTEアップリンク（UL）ACK/NACKチャネルおよびサービス要求（SR）チャネル送信の場合、異なるユーザを多重化するために離散フーリエ変換（DFT）およびウォルシュ拡散だけでなく周期的にシフトされるCAZAC（Constant-Amplitude Zero Auto-Correlation）が使用される。両方のチャネルが同時に送られなければならないときに問題が生じる。
【発明の概要】
【０００８】
本件開示の態様のいくつかの態様の基本的な理解を提供するために、以下は、単純化された概要を提示する。この概要は、広範な概観ではなく、そのような態様の鍵となるエレメントまたは重要なエレメントを特定するように意図されているわけでも、そのような態様の範囲を画定するように意図されているわけでもない。その目的は、あとで提示されるより詳細な説明の前置きとして単純化された形式で、説明される特徴のいくつかの概念を提示することである。
【０００９】
1つまたは複数の態様および対応するそれらの開示にしたがって、肯定応答およびサービス要求の両方が同時にスケジュールされるとき、1つのアップリンク制御チャネル資源を使用してACK、SR、またはACK+SRがどのように多重化されることができるのかに関する所定のマッピングを提供することに関係して様々な態様が説明される。それによって、アップリンク制御チャネルは、ブラインド復号、より高次の変調によるリンク損失、または追加のハードウェア／ソフトウェアの複雑性をともなうことなく、ACK、SR、またはACK+SRを受信するために逆多重化されることができる。
【００１０】
ある態様において、第1および第2の資源をそれぞれ割り当てられている第1および第2の制御チャネルが同時送信を要求していると決定することによって、多重化アップリンク制御チャネルを送信することと、前記第1および第2の制御チャネルのうち選択されなかった１つを示さないで、選択された１つを示すことのために、前記第１および第２の制御チャネルのうち選択された１つを、前記第１および第２の資源のうち当該対応する１つを用いて送信することと、および第1および第2の制御チャネルの両方を示すことのために、前記第1および第2の制御チャネルのうち選択された１つを、前記第１および第２の資源のうち当該対応していない1つを用いて送信することとを具備する方法が提供される。
【００１１】
他の態様において、多重化アップリンク制御チャネルを送信するための少なくとも1つのプロセッサーが提供される。モジュールは、第1および第2の資源をそれぞれ割り当てられている第1および第2の制御チャネルが同時送信を要求していると決定する。モジュールは、前記第１および第２の制御チャネルのうち選択されなかった１つを示さないで、選択された１つを示すことのために、前記第１および第２の制御チャネルのうち選択された１つを、前記第1および第2の資源のうち当該対応する1つを用いて送信する。モジュールは、前記第1および第2の制御チャネルの両方を示すことのために、前記第1および第2の制御チャネルのうち選択された1つを、前記第１および第２の資源のうち当該対応していない１つを用いて送信する。
【００１２】
追加の態様において、多重化アップリンク制御チャネルを送信するためのコンピュータ・プログラム・プロダクトが提供される。コンピュータ可読記憶装置は、第１および第２の資源をそれぞれ割り当てられている第1および第2の制御チャネルが同時送信を要求しているとコンピュータに決定させるための１セットのコードを具備する。1セットのコードは、前記第1および第2の制御チャネルのうち選択されなかった１つを示さないで、選択された１つを示すことのために、前記第１および第２の制御チャネルのうち選択された１つを、前記第１および第２の資源のうち当該対応する1つを用いて前記コンピュータに送信させる。1セットのコードは、前記第1および第2の制御チャネルの両方を示すことのために、前記第１および第２の制御チャネルのうち選択された１つを、前記第１および第２の資源のうち当該対応していない1つを用いて前記コンピュータに送信させる。
【００１３】
他の追加の態様において、多重化アップリンク制御チャネルを送信するための装置が提供される。第１および第２の資源をそれぞれ割り当てられている第1および第2の制御チャネルが同時送信を要求していると決定するための手段が提供される。前記第１および第２の制御チャネルのうち選択されなかった１つを示さないで、選択された１つを示すことのために、前記第１および第２の制御チャネルのうち選択された１つを、前記第１および第２の資源のうち当該対応する１つを用いて送信するための手段が提供される。前記第１および第２の制御チャネルの両方を示すことのために、前記第１および第２の制御チャネルのうち選択された１つを、前記第１および第２の資源のうち当該対応していない１つを用いて送信するための手段が提供される。
【００１４】
さらなる態様において、多重化アップリンク制御チャネルを送信するための装置が提供される。計算プラットフォームは、第１および第２の資源をそれぞれ割り当てられている第1および第2の制御チャネルが同時送信を要求していると決定する。送信機は、前記第1および第2の制御チャネルのうち選択されなかった１つを示さないで、選択された１つを示すことのために、前記第１および第２の制御チャネルのうち選択された１つを、前記第１および第２の資源のうち当該対応する１つを用いて送信する。ここにおいて、前記送信機はさらに、前記第1および第2の制御チャネルの両方を示すこのために、前記第１および第２の制御チャネルのうち選択された１つを、前記第１および第２の資源のうち当該対応していない１つを用いて送信することのためである。
【００１５】
さらにある態様において、第１および第２の資源をそれぞれ割り当てられている第１および第２の制御チャネルが同時送信を要求していると決定することによって、多重化アップリンク制御チャネルを受信することと、前記第１および第２の制御チャネルのうち選択されなかった１つを示さないで、選択された１つを示すことのために、前記第１および第２の資源のうち選択された１つを、前記第１および第２の資源のうち当該対応する１つを用いて受信することと、および、前記第１および第２の制御チャネルの両方を示すことのために、前記第１および第２の制御チャネルのうち選択された１つを、前記第１および第２の資源のうち当該対応していない１つを用いて受信することとを具備する方法が提供される。
【００１６】
さらに他の態様において、多重化アップリンク制御チャネルを受信するための少なくとも1つのプロセッサーが提供される。モジュールは、第１および第２の資源をそれぞれ割り当てられている第1および第2の制御チャネルが同時送信を要求していると決定する。モジュールは、前記第1および第2の制御チャネルのうち選択されなかった１つを示さないで、選択された１つを示すことのために、前記第１および第２の制御チャネルのうち選択された１つを、前記第１および第２の資源のうち当該対応する1つを用いて受信する。モジュールは、前記第1および第2の制御チャネルの両方を示すことのために、前記第１および第２の制御チャネルのうち選択された１つを、前記第１および第２の資源のうち当該対応していない１つを用いて受信する。
【００１７】
さらに追加の態様において、多重化アップリンク制御チャネルを受信するためのコンピュータ・プログラム・プロダクトが提供される。コンピュータ可読記憶装置は、第１および第２の資源をそれぞれ割り当てられている第1および第2の制御チャネルが同時送信を要求しているとコンピュータに決定させるための１セットのコードを具備する。1セットのコードは、前記第1および第2の制御チャネルのうち選択されなかった１つを示さないで、選択された１つを示すことのために、前記第１および第２の制御チャネルのうち選択された１つを、前記第１および第２の資源のうち当該対応する1つを用いて前記コンピュータに受信させる。前記第１および第２の制御チャネルの両方を示すことのために、前記第１および第２の制御チャネルのうち選択された１つを、前記第１および第２の資源のうち当該対応していない１つを用いて前記コンピュータに受信させる。
【００１８】
さらに他の追加の態様において、多重化アップリンク制御チャネルを受信するための装置が提供される。第１および第２の資源をそれぞれ割り当てられている第1および第2の制御チャネルが同時送信を要求していると決定するための手段が提供される。前記第１および第２の制御チャネルのうち選択されなかった１つを示さないで、選択された１つを示すことのために、前記第１および第２の制御チャネルのうち選択された１つを、前記第１および第２の資源のうち当該対応する１つを用いて受信するための手段が提供される。前記第１および第２の制御チャネルの両方を示すことのために、前記第１および第２の制御チャネルのうち選択された１つを、前記第１および第２の資源のうち当該対応していない１つを用いて受信するための手段が提供される。
【００１９】
さらなる態様において、多重化アップリンク制御チャネルを受信するための装置が提供される。計算プラットフォームは、第１および第２の資源をそれぞれ割り当てられている第１および第２の制御チャネルが同時送信を要求していると決定する。受信機は、前記第１および第２の制御チャネルのうち選択されなかった１つを示さないで、選択された１つを示すことのために、前記第１および第２の制御チャネルのうち選択された１つを、前記第１および第２の資源のうち当該対応する１つを用いて受信する。ここにおいて、前記受信機はさらに、前記第1および第2の制御チャネルの両方を示すために、前記第１および第２の制御チャネルのうち選択された１つを、前記第１および第２の資源のうち当該対応していない１つを用いて受信するためである。
【００２０】
前述の目的および関係する目的の達成のために、１つまたは複数の態様は、以下で十分に説明される特徴および特許請求の範囲において特に指摘される特徴を具備する。以下の説明および追加の図面は、ある例示的態様を詳細に述べ、および態様の原則が採用されることができる様々な方法のうちのいくつかのみを示す。他の利点および新規な特徴は、以下の詳細な説明が図面と一緒に考慮されるとき、当該詳細な説明から明白になり、本件開示の態様は、そのような態様およびそれらの同等物を含むように意図されている。
【図面の簡単な説明】
【００２１】
本件開示の特徴、性質、および利点は、以下に述べられる詳細な説明が図面とともに取り上げられるとき、当該詳細な説明から、いっそう明らかになるであろう。なお、図面において、同様の参照記号は、明細書全体を通じて対応的に一体化している。
【図１】図1は、サービス要求およびデータ肯定応答が同時に送信されるようスケジュールされる場合、サービス要求とデータ肯定応答とを多重化したものを効率的にアップリンク送信するための通信システムのブロック図を図示している。
【図２】図2は、アップリンク制御チャネル上で、ACK/NACKチャネルとサービス要求（SR）チャネルとを多重化したものを送信するための方法のフロー図を図示している。
【図３】図3は、アップリンク制御チャネル上で、ACK/NACKチャネルとサービス要求（SR）チャネルとを多重化したものを受信するための方法のフロー図を図示している。
【図４】図4は、1つの態様にしたがって、多元接続ワイヤレス通信システムのブロック図を図示している。
【図５】図5は、1つの態様にしたがって、通信システムのブロック図を図示している。
【図６】図6は、1つの態様にしたがって、例示的なアップリンクACK/NACKチャネル構造を図示するためのブロック図を図示している。
【図７】図7は、1つの態様にしたがって、アップリンク制御チャネルのための強化型多重通信方法を例示するフローチャートを図示している。
【図８】図8は、1つの態様にしたがって、図7の強化型多重通信技術の受信のための方法を例示するフローチャートを図示している。
【図９】図9は、1つの態様にしたがって、強化型アップリンク制御チャネルを処理するための方法を例示するフロー図を図示している。
【図１０】図10は、1つの態様にしたがって、アップリンク制御チャネルのための強化型多重通信方法を例示するフローチャートを図示している。
【図１１】図11は、1つの態様にしたがって、アップリンク制御チャネルのための強化型多重通信方法を例示するフローチャートを図示している。
【図１２】図12は、アップリンク制御チャネル上で、サービス要求とデータ肯定応答とを多重化したものを送信するためのユーザ設備（UE）のブロック図を図示している。
【図１３】図13は、アップリンク制御チャネル上で、サービス要求とデータ肯定応答とを多重化したものを受信するためのベースノードのブロック図を図示している。
【発明の詳細な説明】
【００２２】
ユーザ設備（UE）をスケジュールするベースノードが、ACK/NACKおよびサービス要求（SR）の両方のアップリンク（UL）送信が同時にスケジュールされるときにACK/NACKおよび／またはサービス要求（SR）が受信されたかどうかを決定することができるように、通信システムは、多重通信方式を組み込む。ベースノードが、ACK/NACKまたはSR ULチャネルのいずれかのUEによる選択的使用を解釈することができるので、著しい複雑性の低減、より良いリンクの効率性、およびより高い多重化能力を達成することができる。そのような解釈は、複数のダウンリンク（DL）送信モードが使用されるときに対して、特に、DL単一入力複数出力（SIMO）、ランク１送信のDL複数入力複数出力（MIMO）、およびランク２送信のDL MIMOが使用されるときに対して拡張されることができる。スケジューリングおよびDL送信モードの知識に基づいて、ベースノードは、UEからの可能な応答のマッピングに起因する多数の可能性をブラインド復号する必要がない。加えて、多重通信方式は、周波数分割二重（FDD）および時分割二重（TDD）の両方に利用可能である。その結果、エッジユーザーにとってのリンクパフォーマンスの損失、多重化能力の減少（例えば、最大ACKチャネルを18から12に制限すること）、またはハードウェア／ソフトウェアの複雑性の増加（例えば、ACK対SR+ACKのブラインド復号を要すること）という結果となる、より高次の変調（例えば、QPSKでなく8PSK）のような望まれないアプローチが避けられる。
【００２３】
図面を参照して、これから様々な態様が説明される。以下の説明において、説明の目的のために、１つまたは複数の態様の完全な理解を提供するために多数の特定の詳細が述べられる。しかしながら、様々な態様が、これらの特定の詳細によらずに実施されることができることは明らかである。他の例において、これらの態様の説明を容易にするために、周知の構造およびデバイスはブロック図の形式で図示されている。
【００２４】
本件出願において使用されるように、用語「コンポーネント(component)」、「モジュール(module)」、「システム(system)」などは、ハードウェア、ハードウェアおよびソフトウェアの組み合わせ、ソフトウェア、またはソフトウェア実行のいずれかのコンピュータ関連のエンティティのことを意味するよう意図される。例えば、コンポーネントは、次のものには制限されないが、プロセッサー上で実行中のプロセス、プロセッサー、オブジェクト、実行可能、実行スレッド、プログラム、および／またはコンピュータであってもよい。例示として、サーバー上で実行中のアプリケーションおよび特定のサーバー上で実行中のアプリケーションの両方ともコンポーネントであり得る。１つまたは複数のコンポーネントは、プロセスおよび／または実行スレッド内に在ることができ、およびコンポーネントは、１つのコンピュータ上でローカライズされおよび／または2つ以上のコンピュータ間に分散されることができる。
【００２５】
「例示的(exemplary)」という語は、本件明細書において、一例、事例、または例示としての役割を果たすことを意味する。「例示的(exemplary)」として本件明細書において説明される任意の態様または設計は、他の態様または設計に対して好ましいまたは有利なものとして解釈される必要はない。
【００２６】
さらに、１つまたは複数のバージョンは、開示される態様を実装するためのソフトウェア、ファームウェア、ハードウェア、またはコンピュータを制御するためにこれらの組み合わせを提供するための標準のプログラミングおよび／またはエンジニアリング技術を使用する方法、装置、または製品として実装されることができる。本件明細書において使用されるような用語「製品」（または代替的に「コンピュータ・プログラム・プロダクト」）は、任意のコンピュータ可読デバイス、搬送波、または媒体からアクセス可能なコンピュータ・プログラムを含むよう意図されている。例えば、コンピュータ可読媒体は、次のものには制限されないが、磁気記憶デバイス（例えば、ハードディスク、フレキシブルディスク、磁気ストリップなど）、光ディスク（例えば、コンパクトディスク（ＣＤ）、デジタル汎用ディスク（ＤＶＤ）など）、スマート・カード、およびフラッシュメモリーデバイス（例えば、カード、スティック）を含むことができる。追加的に、搬送波は、電子メールを送信および受信する、またはインターネットまたはローカルエリアネットワーク（ＬＡＮ）のようなネットワークにアクセスするのに使用されるもののようなコンピュータ可読電子データを搬送するために採用されることができることが認識されるべきである。もちろん、当業者であれば、本件開示の態様の範囲から逸脱することのない範囲で多くの修正が本件構成になされてもよいことを認識するだろう。
【００２７】
いくつかのコンポーネント、モジュールなどを含むことができるシステムの観点から、様々な態様が提示される。様々なシステムは、追加のコンポーネント、モジュールなどを含むことができ、および／または図面と関係して議論されるコンポーネント、モジュールなどのすべてを含まないかもしれないことが理解および認識される。これらのアプローチの組み合わせもまた使用されることができる。本件明細書において開示される様々な態様は、タッチスクリーン・ディスプレイ技術および／またはマウスおよびキーボードタイプのインターフェースを利用するデバイスを含む電子デバイス上で実行されることができる。そのようなデバイスの例は、コンピュータ（デスクトップおよびモバイル）、スマートフォン、携帯情報端末（PDA）、および有線およびワイヤレスの両方の他の電子デバイスを含む。
【００２８】
図1を最初に参照して、拡張ベースノード（eNB）102として図示されている基地局の通信システム100は、無線（over-the-air、OTA）リンク104によってユーザ設備（UE）106と通信する。特に、eNB102は、物理アップリンク制御チャネル（PUCCH）110をスケジュールするためにダウンリンク（DL）108を利用する。例えば、PUCCH110上でサービス要求（SR）をするための認可112は、ダウンリンク108上で送信される。その結果、UE106は、eNB102へデータを送信するための資源（例えば、周波数および時間）を要求する機会を有する。eNB102はまた、ARQ（自動再送要求）または混成ARQ（HARQ）を使用するような前方誤り訂正（FEC）方法にしたがってダウンリンク108上でデータ114を送信する。SR認可112は、データ114に応答して予想されるACK/NACKチャネル・スケジューリングとPUCCHスケジューリングとの衝突（116に図示されている）を伝達する。このスケジューリング衝突に応答して、PUCCH110上で、UE106におけるマッピング・コンポーネント120は、124において図示されているように、肯定応答（ACK）、SR、またはSR+ACKを選択的に送信し、eNB102におけるマッピング・コンポーネント122は、これらを選択的に受信する。
【００２９】
図2において、１つの態様において、アップリンク（UL）送信のためにACK/NACKチャネルとサービス要求（SR）チャネルとを多重化したものを送信するための方法200が提供される。ブロック202において、サービス要求認可がUL制御チャネルの使用のために受信される。加えて、前方誤り制御（FEC）の一部としての自動再送要求方法（例えば、ARQ、HARQ）にしたがってデータが受信される（ブロック204）。受信データについてのSRおよびACK/NACKに関するスケジューリング衝突がPUCCHにあるかどうかについての決定がブロック206においてなされる。スケジューリング衝突がない場合、SRおよびACKの多重化は必要なく、終了する（ブロック207）。衝突の場合、PUCCH上でACK、SR、またはACK+SRを多重化するためのマッピングについての参照がなされる（ブロック208）。
【００３０】
マッピングがアップリンク（UL）送信チャネル選択に基づくべき場合（ブロック210）、マッピングにしたがって適切なUL制御送信パラメータが決定される（ブロック212）。ブロック214において、SR、ACK、またはSR+ACKを伝達するために、SRチャネルまたはACKチャネルのいずれかの選択的な使用がなされることができる。例示的な実装において、ACKチャネル上でACKを送信することは、このマッピングにしたがって、SRがないことを示す。SRチャネル上でSRを送信することは、ACKがないことを示す。しかしながら、SRおよびACKのうちの選択された１つを他のチャネル上で送信すること（例えば、ACKをSRチャネル上で送信すること）は、SRおよびACKの両方を示す。
【００３１】
ブロック210において、ULチャネル選択がマッピングによって追加の情報を伝達するための手段ではないことをマッピングが示す場合、ブロック216において、適切なマッピングを参照する基準として何のダウンリンク（DL）送信モードが使用されているかについて決定がなされる。
【００３２】
DL単一入力複数出力（SIMO）について218において図示されているように、SRおよびACKの両方の多重化は、ACKチャネル上の直交位相シフトキーイング（QPSK）によって達成される（ブロック220）。
【００３３】
ランク1送信のためのDL複数入力複数出力（MIMO）について222において図示されているように、SRおよびACKの両方の多重化は、ACKチャネル上のQPSKによって達成される（ブロック224）。
【００３４】
DL MIMOランク2送信について226において図示されているように、両方のDLストリームの１つのACK受信により肯定応答をするために、フィードバック制限が実行される（ブロック228）。SRおよびACKの両方の多重化は、ACKチャネル上のQPSKにより達成されることができる（ブロック230）。代替的に、DL SIMOまたはDL MIMOランク１のいずれかを使用するため、またはこれらのうちの１つの使用を特定するためにスケジューリング制限が実行されることができる。
【００３５】
その結果、方法200は、ブロック240において要約すると、サービス要求のために割り当てられた資源とは異なる資源にスケジュールされた関連する肯定応答によるデータ送信のための自動再送要求前方誤り制御方法にしたがってデータを受信することを提供することが認識されるべきである。さらに、ブロック242において、方法200はまた、アップリンク制御チャネル上でサービス要求、ACK/NACK（肯定応答／否定応答）、またはサービス要求およびACK/NACKを選択的に多重化することを提供する。このことは、マッピングによって再構成されることができるデータを省く。
【００３６】
ACKおよびSRが、異なるUL制御チャネル資源に割り当てられることが本件開示の利点とともに認識されるべきである。そのようなチャネルのうちの１つのみが送信される場合、それらは、それらに割り当てられた資源において送信される。ACKおよびSRの両方が同時に送信される必要がある場合、単一搬送波の制約のためにACKおよびSRは、それらに割り当てられた資源から同時に送信されることができない。１つの態様において、この状況は、UEがACKおよびSRの両方を送りたいとき、SRに割り当てられた資源上でACK情報を送信することによって対処され、およびUEがSRを送りたくないとき、ACKに割り当てられた資源上でACK情報を送信することによって対処される。その結果、ACK情報の位置に基づいて、受信者は、SRが黙示的に送信されたか否かを知る。
【００３７】
図3において、１つの態様において、方法300は、アップリンク（UL）送信のためにACK/NACKチャネルとサービス要求（SR）チャネルとを多重化したものを受信することを提供する。ブロック302において、サービス要求認可は、UL制御チャネルの使用のために送信される。加えて、データは、前方誤り制御（FEC）の一部としての自動再送要求方法（例えば、ARQ、HARQ）にしたがって送信される（ブロック304）。送信データについてのSRおよびACK/NACKに関するスケジューリング衝突がPUCCHについてあるかどうかについての決定がブロック306においてなされる。スケジューリング衝突がない場合、SRおよびACKの多重化は必要なく、終了する（ブロック307）。衝突の場合、PUCCH上でACK、SR、またはACK+SRを多重化するためのマッピングについての参照がなされる（ブロック308）。
【００３８】
マッピングがアップリンク（UL）送信チャネル選択に基づくべき場合（ブロック310）、マッピングにしたがって適切なUL制御送信パラメータが決定される（ブロック312）。ブロック314において、SR、ACK、またはSR+ACKを伝達するために、SRチャネルまたはACKチャネルのいずれかの選択的な使用がなされることができる。例示的な実装において、ACKチャネル上でACKを受信することは、このマッピングにしたがってSRがないことを示す。SRチャネル上でSRを受信することは、ACKがないことを示す。しかしながら、SRおよびACKのうちの選択された1つを他のチャネル上で受信すること（例えば、ACKをSRチャネル上で受信すること）は、SRおよびACKの両方を示す。
【００３９】
ブロック310において、ULチャネル選択がマッピングによって追加の情報を伝達するための手段ではないことをマッピングが示す場合、ブロック316において、適切なマッピングを参照する基準として何のダウンリンク（DL）送信モードが使用されているかについて決定がなされる。
【００４０】
DL単一入力複数出力（SIMO）について318において図示されているように、SRおよびACKの両方の逆多重化は、ACKチャネル上の直交位相シフトキーイング（ＱＰＳＫ）を復調することによって達成される（ブロック320）。
【００４１】
ランク1送信のためのDL複数入力複数出力（MIMO）について322において図示されているように、SRおよびACKの両方の逆多重化は、ACKチャネル上のQPSKを復調することによって達成される（ブロック324）。
【００４２】
DL MIMOランク2送信について326において図示されているように、両方のDLストリームの１つのACK受信により肯定応答をするためにフィードバック制限が課されている（ブロック328）。SRおよびACKの両方の逆多重化は、ACKチャネル上のQPSKを復調することによって達成されることができる（ブロック330）。代替的に、スケジューリング制限は、DL SIMOまたはDL MIMOランク1のいずれかを使用するため、またはこれらのうちの１つの使用を特定するために課されることができる（ブロック332）。
【００４３】
その結果、方法300は、要約すると、340において図示されているように、アップリンク制御チャネル上でサービス要求のための資源割り当てを送信すること、およびサービス要求に割り当てられた資源とは異なる資源にスケジュールされた関連する肯定応答によるデータ送信のための自動再送要求前方誤り制御方法にしたがってデータを送信することを提供する。さらに、342において図示されているように、マッピングによるアップリンク制御チャネル送信のために逆多重化が達成されることができるように、サービス要求、ACK/NACK（肯定応答／否定応答）、またはサービス要求およびACK/NACKを選択的に具備することができるアップリンク制御チャネル上で多重化された送信を受信するための方法が提供される。
【００４４】
一般に、ワイヤレス多元接続通信システムは、複数のワイヤレス端末のための通信を同時にサポートすることができる。各端末は、順方向および逆方向リンク上の送信によって１つまたは複数の基地局と通信する。順方向リンク（つまりダウンリンク）は、基地局から端末までの通信リンクのことをいい、逆方向リンク（つまりアップリンク）は、端末から基地局までの通信リンクのことをいう。この通信リンクは、単一入力単一出力、複数入力単一出力、または複数入力複数出力（MIMO）システムによって確立されることができる。
【００４５】
MIMOシステムは、データ送信のために複数（ＮＴ個）の送信アンテナおよび複数（ＮＲ個）の受信アンテナを採用する。ＮＴ個の送信アンテナおよびＮＲ個の受信アンテナによって形成されるMIMOチャネルは、ＮＳ個の独立チャネルに分解されることができ、ＮＳ個の独立チャネルはまた、拡散チャネルとも呼ばれる。ここにおいて、NS ≦ 最小{NT, NR}である。ＮＳ個の独立チャネルの各々は、次元に対応する。複数の送信アンテナおよび受信アンテナによって作られる追加の次元が利用される場合、MIMOシステムは、向上したパフォーマンス（例えば、より高い処理量および／またはより大きな信頼性）を提供することができる。
【００４６】
MIMOシステムは、時分割二重（ＴＤＤ）および周波数分割二重（ＦＤＤ）システムをサポートする。TDDシステムにおいて、順方向リンクおよび逆方向リンク送信は、同じ周波数領域上にあるので、相関原則は、逆方向リンクチャネルから順方向リンクチャネルの推定を可能にする。これは、複数のアンテナがアクセスポイントにおいて利用可能であるとき、アクセスポイントが順方向リンク上で送信ビームフォーミング利得を抽出することを可能にする。
【００４７】
図4を参照して、１つの態様にしたがっている多元接続ワイヤレス通信システムが例示されている。アクセスポイント450（AP）は、複数のアンテナグループを含み、あるアンテナグループは、454および456を含み、他のアンテナグループは、458および460を含み、および追加のアンテナグループは、462および464を含む。図4において、各アンテナグループについて２つのアンテナのみが図示されているが、各アンテナグループについてより多くのまたはより少ないアンテナが利用されてもよい。アクセス端末（AT）466は、アンテナ462および464と通信状態にある。ここにおいて、アンテナ462および464は、順方向リンク470上でアクセス端末466に情報を送信し、および逆方向リンク468上でアクセス端末466から情報を受信する。アクセス端末472は、アンテナ456および458と通信状態にある。ここにおいて、アンテナ456および458は、順方向リンク476上でアクセス端末472に情報を送信し、および逆方向リンク474上でアクセス端末472から情報を受信する。FDDシステムにおいて、通信リンク468、470、474、および476は、通信のために異なる周波数を使用することができる。例えば、順方向リンク470は、逆方向リンク468によって使用される周波数とは異なる周波数を使用してもよい。アンテナの各グループおよび／または通信するように設計されているエリアは、アクセスポイント450のセクターとしばしば呼ばれる。ある態様において、各アンテナグループは、アクセスポイント450によってカバーされるエリアのセクター内のアクセス端末466、472に通信するように設計される。
【００４８】
順方向リンク470および476上の通信において、アクセスポイント450の送信アンテナは、異なるアクセス端末466および474のための順方向リンクの信号対雑音比を改善するためにビームフォーミングを利用する。また、アクセスポイントのカバレッジ全体にわたってランダムに散在しているアクセス端末に送信するためにビームフォーミングを使用するアクセスポイントは、すべてのアクセスポイントのカバレッジ内のアクセス端末に単一アンテナを通って送信するアクセスポイントよりも少ない干渉を、近隣のセルにおけるアクセス端末に生じる。
【００４９】
アクセスポイント450は、端末との通信のために使用される固定局であってもよく、アクセスポイント、ノードＢ、またはなんらかの他の用語で呼ばれてもよい。アクセス端末466、472はまた、ユーザ設備（UE）、ワイヤレス通信デバイス、端末、アクセス端末、またはなんらかの他の用語で呼ばれてもよい。
【００５０】
図5は、MIMOシステム500における送信機システム510（アクセスポイントとしても知られている）および受信機システム550（アクセス端末としても知られている）の態様のブロック図である。送信機システム510において、いくつかのデータストリームのためのトラフィックデータは、データソース512から送信（TX）データプロセッサー514へ提供される。
【００５１】
ある態様において、各データストリームは、それぞれの送信アンテナ上で送信される。TXデータプロセッサー514は、符号化されたデータを提供するために、各データストリームのためのトラフィックデータを、当該データストリームのために選択されている特定の符号化方式に基づいて、フォーマット化し、符号化し、およびインターリーブする。
【００５２】
各データストリームのための符号化データは、OFDM技術を使用してパイロットデータと多重化されることができる。パイロットデータは、典型的に、既知の方法で処理される既知のデータパターンであり、およびチャネル応答を推定するために受信機システムにおいて使用されることができる。各データストリームのために多重化されたパイロットおよび符号化データは、次に、変調シンボルを提供するためにそのデータストリームのために選択される特定の変調スキーム（例えば、BPSK、QSPK、M-PSK、またはM-QAM）に基づいて変調される（つまり、シンボルマップされる）。各データストリームのためのデータ・レート、符号化、および変調は、プロセッサー530によって実行される命令によって決定されることができる。
【００５３】
すべてのデータストリームのための変調シンボルは、次に、TX MIMOプロセッサー520に提供される。TX MIMOプロセッサー520は、変調シンボル（たとえば、OFDMのため）をさらに処理することができる。TX MIMOプロセッサー520は、次に、ＮＴ個の送信機（TMTR）522aないし522tにＮＴ個の変調シンボルストリームを提供する。ある実装において、TX MIMOプロセッサー520は、データストリームのシンボルおよびシンボルが送信されて来るところのアンテナにビームフォーミング重みを適用する。
【００５４】
各送信機522は、１つまたは複数のアナログ信号を提供するためにそれぞれのシンボルストリームを受信および処理し、およびアナログ信号をさらに調整する（例えば、増幅、フィルター、およびアップコンバートする）ことによって、MIMOチャネル上の送信のための適切な変調信号を提供する。送信機522aないし522tからのＮＴ個の変調信号は、次に、ＮＴ個のアンテナ524aないし524tからそれぞれ送信される。
【００５５】
受信機システム550において、送信変調信号は、ＮＲ個のアンテナ522aないし552rによって受信され、各アンテナ552からの受信信号は、それぞれの受信機（ＲＣＶＲ）554aないし554rにそれぞれ提供される。各受信機554は、それぞれの受信信号を調整し（例えば、フィルター、増幅、およびダウンコンバートし）、サンプルを提供するために調整された信号をデジタル化し、および対応する「受信」シンボルストリームを提供するためにサンプルをさらに処理する。
【００５６】
RXデータプロセッサー560は、次に、ＮＴ個の「検出」シンボルストリームを提供するために特定の受信機処理技術に基づいてＮＲ個の受信機554からＮＲ個の受信シンボルストリームを受信および処理する。RXデータプロセッサー560は、次に、データストリームのためのトラフィックデータを回復するために、各検出されたシンボルストリームを復調、デインターリーブ、および復号する。RXデータプロセッサー560によって処理することは、送信機システム510においてTX MIMOプロセッサー520およびTXデータプロセッサー514によって実行されること相補関係にある。
【００５７】
プロセッサー570は、どのプリコーディング・マトリックスを使用するかを周期的に決定する（以下で議論される）。プロセッサー570は、マトリックス・インデックス部分およびランク値部分を具備する逆方向リンクメッセージを公式化する。
【００５８】
逆方向リンクメッセージは、通信リンクおよび／または受信データストリームに関する様々なタイプの情報を具備することができる。逆方向リンクメッセージは、次に、TXデータプロセッサー538によって処理され（TXデータプロセッサー538はまた、データソース536からのいくつかのデータストリームのためにトラフィックデータを受信する）、変調器580によって変調され、送信機554aないし554rによって条件付けられ、および送信機システム510に送信し戻される。
【００５９】
送信機システム510において、受信機システム550からの変調信号は、受信機システム550によって送信された逆方向リンクメッセージを抽出するためにアンテナ524によって受信され、受信機522によって調整され、復調器540によって復調され、およびRXデータプロセッサー542によって処理される。プロセッサー530は、次に、ビームフォーミング重みを決定するためにどの事前符号化マトリックスを使用するかを決定し、その後、抽出されたメッセージを処理する。
【００６０】
ある態様において、論理チャネルは、制御チャネルおよびトラフィックチャネルに分類される。論理制御チャネルは、放送制御チャネル（BCCH）を具備する。BCCHは、システム制御情報を放送するためのDLチャネルである。ページング制御チャネル（PCCH）は、ページング情報を送信するDLチャネルである。マルチキャスト制御チャネル（MCCH）は、マルチメディア放送およびマルチキャストサービス（MBMS）スケジューリング、および１つまたはいくつかのMTCHのための制御情報を送信するために使用されるポイント・ツー・マルチポイントDLチャネルである。一般に、RRC接続を確立した後に、このチャネルは、MBMS（注：古いMCCH+MSCH）を受信するUEによってのみ使用される。専用制御チャネル（DCCH）は、専用制御情報を送信し、RRC接続を有するUEによって使用されるポイント・ツー・ポイントの２方向チャネルである。ある態様において、論理トラフィックチャネルは、専用トラフィックチャネル（DTCH）を具備する。DTCHは、ユーザ情報の送信のために１つのUEに専用のポイント・ツー・ポイントの２方向チャネルである。加えて、マルチキャスト・トラフィック・チャネル（MTCH）は、トラフィックデータを送信するためのポイント・ツー・マルチポイントDLチャネルのためである。
【００６１】
ある態様において、送信チャネルは、DLおよびULに分類される。DL輸送チャネルは、ブロードキャストチャネル（BCH）、ダウンリンク共有データチャネル（DL-SDCH）およびページングチャネル（PCH）を具備し、前記PCHは、UE電力セーブ（DRXサイクルは、ネットワークによってUEに示される）をサポートするためのものであって、セル全体にわたってブロードキャストされ、PHY資源にマップされる。PHY資源は、他の制御／トラフィックチャネルのために使用されることができる。UL輸送チャネルは、ランダム・アクセスチャネル（RACH）、要求チャネル（REQCH）、アップリンク共有データチャネル（UL-SDCH）、および複数のPHYチャネルを具備する。PHYチャネルは、１セットのDLチャネルおよびULチャネルを具備する。
【００６２】
DL PHY  チャネルは、次のものを具備する。これらは、共通パイロット・チャネル（CPICH）、同期チャネル（SCH）、共通制御チャネル（CCCH）、共有ＤＬ制御チャネル（SDCCH）、マルチキャスト制御チャネル（MCCH）、共有UL割当チャネル（SUACH）、肯定応答チャネル（ACKCH）、DL物理共有データチャネル（DL-PSDCH）、UL電力制御チャネル（UPCCH）、ページング・インジケーター・チャネル（PICH）、ロード・インジケーター・チャネル（LICH）である。UL PHYチャネルは、次のものを具備する。これらは、物理ランダム・アクセスチャネル（PRACH）、チャネル品質インジケーター・チャネル（CQICH）、肯定応答チャネル（ACKCH）、アンテナ・サブセット・インジケーター・チャネル（ASICH）、共有要求チャネル（SREQCH）、UL物理共有データチャネル（UL-PSDCH）、ブロードバンド・パイロット・チャネル（BPICH）である。
【００６３】
ある態様において、単一搬送波形の低PAR特性（任意の所与の時間において、チャネルが周波数において隣接しているまたは一様にスペースを置かれている）を保つチャネル構成が提供される。
【００６４】
本件明細書の目的のために、以下の省略が適用される。
【００６５】
AIS            自動識別システム
AM              肯定応答モード
AMD            肯定応答モードデータ
ARQ            自動再送要求
BCCH            ブロードキャスト制御チャネル
BCH            ブロードキャストチャネル
C-              制御-
CCCH            共通制御チャネル
CCH            制御チャネル
CCTRCH          符号化合成輸送チャネル
CDI            チャネル指示情報
CP              サイクリック・プリフィックス
CRC            サイクリック冗長チェック
CTCH            共通トラフィックチャネル
DCCH            専用制御チャネル
DCH            専用チャネル
DL              ダウンリンク
DL-SCH          ダウンリンク共有チャネル
DSCH            ダウンリンク共有チャネル
DTCH            専用トラフィックチャネル
FACH            順方向リンクアクセスチャネル
FDD            周波数分割二重
i.i.d.          独立かつ一義的に分散
L1              層１（物理層）
L2              層２（データ・リンク層）
L3              層３（ネットワーク層）
L1              長さインジケーター
LSB            最下位ビット
MAC            媒体アクセス制御
MBMS            マルチメディア・ブロードキャスト・マルチキャストサービス
MBSFN          マルチキャスト・ブロードキャスト・単一周波数ネットワーク
MCCH            MBMSポイント・ツー・マルチポイント制御チャネル
MCE            MBMSコーディネート・エンティティ
MCH            マルチキャストチャネル
MIMO            複数入力複数出力
MRW            受信ウィンドウを動かす
MSB            最上位ビット
MSCH            MBMSポイント・ツー・マルチポイント・スケジューリングチャネル
MTCH            MBMSポイント・ツー・マルチポイント・トラフィックチャネル
PCCH            ページング制御チャネル
PCH            ページングチャネル
PDCCH          物理ダウンリンク制御チャネル
PDSCH          物理ダウンリンク共有チャネルPDUプロトコル・データユニット
PHY            物理層
PHYCH          物理チャネル
PUSCH          物理アップリンク共有チャネル
PUCCH          物理アップリンク制御チャネル
QoS            サービス品質
RACH            ランダム・アクセスチャネル
RLC            無線リンク制御
RRC            無線資源制御
SAP            サービス・アクセスポイント
SDU            サービス・データユニット
SHCCH          共有チャネル制御チャネル
SN              シーケンス番号
SUFI            スーパー・フィールド
TCH            トラフィックチャネル
TDD            時分割二重
TFI            輸送フォーマット・インジケーター
TM              透過モード
TMD            透過モードデータ
TTI            送信時間インターバル
U-              ユーザ-
UE              ユーザ設備
UL              アップリンク
UM              否定応答モード
UMB            超モバイル広帯域
UMD            否定応答モードデータ
UMTS            ユニバーサルモバイル電話システム
UTRA            UMTS地上無線アクセス
UTRAN          UMTS地上無線アクセスネットワーク
WWAN            ワイヤレス・ワイドエリア・ネットワーク
【００６６】
受信機（例えば、UE）によって送信される肯定応答／否定応答（ACK/NACK）送信は、送信機（例えば、e-NB）によって送信されるデータの受信の成功または失敗を通信する。１つの態様において、受信機によるACK/NACK送信のために割り当てられた資源は、例えば、物理ダウンリンク共有チャネル（PDSCH）送信のための対応する物理ダウンリンク制御チャネル（PDCCH）割り当てへの明示的なマッピングによって事前に知られている。
【００６７】
UEによって送信されるサービス要求（SR）送信は、送信のための資源のためにe-NBに要求を通信する。１つの態様において、UEによるSRの送信のために割り当てられた資源（例えば、周波数および時間割り当て）は、層3（L3）のシグナリングによってシグナルが送られるので、事前に知られる。
【００６８】
物理アップリンク制御チャネル（PUCCH）は、ACK/NACK送信およびSR送信を含むアップリンク制御情報を搬送し、および複数のフォーマットをサポートすることができる。ある態様において、SRチャネル送信およびアップリンク（UL）ACK/NACKチャネルについて、DFTおよびウォルシュ拡散のみならず周期的にシフトされるCAZAC（Constant Amplitude Zero Auto-Correlation）シーケンスが、異なるユーザを多重化するために使用される。例として、UL ACK/NACKチャネル送信の場合、参照信号（RS）およびデータの両方が、長さ12の周期的シフトのCAZACシーケンスを使用することができる。ある態様において、データのためのRSおよびウォルシュの時間領域拡散のみならずCAZACシーケンスの周期的シフトに基づいて、18個のユーザまで多重化されることができる。図6は、3つのパイロットを備えるUL ACK/NACKチャネル構成600の一例を例示している。
【００６９】
ACK/NACK送信およびSR送信の両方が同時に送信され、その結果、UEによって多重化される状況において、１つまたは複数の次の問題が提示される。それらは、処理の複雑性の増加、リンクの効率性の減少、および／または多重化能力の必要性の増加である。例えば、SRおよびACK/NACK送信の両方を要する送信ではなくて、ACK/NACK送信のために異なるシフトおよび時間ドメイン拡散符号が特定されるとしたら、SR送信のためにいくつかの資源を取っておくよう要求されるだろう。このアプローチに関連する欠点は、ACKチャネルの多重化能力におけるいくつかの損失、および最大ACKチャネルが18ではなくて12に制限されることを含む。さらに、ACK対SR+ACK送信を区別するためにブラインド復号が必要とされる。その一方で、ACK/NACKおよびSR送信を多重化するために8PSKのようなより高次の変調が実装されるとしたら、QPSKと比べて著しいリンクレベルの損失が結果として生じる。このリンク損失は、カバレッジのエッジにいるユーザのために特に制限するファクターである場合がある。
【００７０】
図7を参照して、１つの態様にしたがってアップリンク制御チャネルのための強化型多重通信方法を例示するフローチャート図が図示されている。ブロック702において、UEは、UEのアップリンク送信モードを決定する。上で議論されたように、SRのための送信資源は、上位層シグナリング（例えば、L３シグナリング）によって事前に知られていてもよい。追加的に、受信機によるACK/NACK送信のために割り当てられた資源は、例えば、物理ダウンリンク共有チャネル（PDSCH）送信のための対応する物理ダウンリンク制御チャネル（PDCCH）割当への明示的なマッピングによって事前に知られている。したがって、上の情報から、UEは、特定のアップリンク送信モードを決定することができる。すなわち、SR送信（第１のアップリンク送信モード）のみを送るようにスケジュールされる場合、ACK/NACK送信（第２のアップリンク送信モード）のみを送るようにスケジュールされる場合、またはSR送信およびACK/NACK送信の両方（第３のアップリンク送信モード）を送るようにスケジュールされる場合である。
【００７１】
第1のアップリンク送信モードにおいて、SR送信のみが送られ（つまり、ACK/NACK送信を含まない）、およびブロック704において、UEは、SR送信のために割り当てられる資源上でSR情報を送信する。第2のアップリンク送信モードにおいて、ACK/NACK送信のみが送られ（つまり、SR送信を含まない）、およびブロック706において、UEは、ACK/NACK送信のために割り当てられた資源上でACK/NACK情報を送信する。
【００７２】
第３のアップリンク送信モードにおいて、UEは、SRおよびACK/NACK送信の両方を送るようにスケジュールされる。UEが、SRを送信しなければならない場合、ブロック708において、UEは、SR送信のために割り当てられた資源上でACK/NACK情報を送信する。SR資源上のACK/NACK情報の送信は、ACK/NACK情報およびサービス要求表示の両方を通信する。
【００７３】
UEがSRおよびACK/NACK送信の両方を送るようにスケジュールされていて、かつ、UEがSR要求を送信しなくてもよい場合、UEは、選択的パス709によって示されているようにACK/NACK資源上でACK/NACK送信を送信する（これは、ブロック706の動作に対応する）。それとして、ACK/NACKを通信するためのSRの送信資源の選択（または否選択）は、SRビットを追加的に合図する。その結果、ACK/NACKチャネルの多重化能力は、減少しない。
【００７４】
図8を参照して、1つの態様にしたがって図7の強化型多重通信技術の受信のための方法を例示するフローチャートが図示されている。ブロック802において、e-NBは、UEの送信アップリンクモードを決定する。上で議論されたように、SRのための送信資源は、上位層のシグナリング（例えば、L３シグナリング）によって事前に知られていてもよい。追加的に、受信機によるACK/NACK送信のために割り当てられた資源は、例えば、物理ダウンリンク共有チャネル（PDSCH）送信のための対応する物理ダウンリンク制御チャネル（PDCCH）割当への明示的なマッピングによって事前に知られている。したがって、上の情報から、e-NBは、UEのアップリンク送信モードを決定することができる。すなわち、UEがSR送信（第1のアップリンク送信モード）のみを送るようにスケジュールされる場合、UEがACK/NACK送信（第2のアップリンク送信モード）のみを送るようにスケジュールされる場合、またはUEがSR送信およびACK/NACK送信の両方（第3のアップリンク送信モード）を送るようにスケジュールされる場合である。
【００７５】
第1のアップリンク送信モードにおいて、SR送信のみが送られ（つまり、ACK/NACK送信なし）、およびブロック804において、e-NBは、SR送信（つまり、図7のブロック404におけるUEからのSR送信）のために割り当てられた資源上でSR情報を受信および処理（復調、復号など）する。第2のアップリンク送信モードにおいて、ACK/NACK送信のみが送られ（つまり、SR送信なし）、およびブロック806において、e-NBは、ACK/NACK送信（つまり、図4のブロック406におけるUEからのACK/NACK送信）のために割り当てられた資源上でACK/NACK情報を受信および処理する。
【００７６】
第3のアップリンク送信モードにおいて、UEは、SRおよびACK/NACK送信の両方を送るようにスケジュールされ、およびブロック808において、e-NBは、ACK/NACKおよびSR送信の両方に割り当てられた資源上でブラインドACK/NACK復調および復号を実施する。ブロック808に続いて、ブロック810において、e-NBは、ACK/NACKがACK/NACK資源上で正しく復調および復号されたかを決定し、そうであるならば、ACK/NACK情報が取得され、さらに、e-NBは、SRがUEによって要求されなかったことを決定する。上で説明されたように、図7において、ACK/NACK資源上のACK/NACK情報の通信（ブロック706）は、ACK/NACK情報のみ（つまり、SRなし）のUEの通信と関連させられる。
【００７７】
また、ブロック808に続いて、ブロック814において、e-NBは、ACK/NACKがSR資源上で正しく復調および復号されたかを決定し、そうであるならば、ACK/NACK情報が取得され、さらにe-NBは、SRがUEによって要求されたことを決定する。上で説明されたように、図7において、SR資源上のACK/NACK情報の通信（ブロック708）は、ACK/NACK情報およびさらにはSRのシグナリングのUEの通信と関連させられている。
【００７８】
図9を参照して、他の態様にしたがって、アップリンク制御チャネルのための強化型多重通信方法を例示するフローチャートが図示されている。ブロック902において、UEは、ダウンリンク（DL）送信モードを決定する。図9の例において、DL単一入力複数出力（SIMO）、ランク1のDL MIMO、およびランク2のDL MIMOのケースが図示されている。DL SIMOおよびランク1のDL MIMOの両方において、単一のダウンリンク層またはストリームが送信され、およびACK/NACKの1ビットおよびSRの1ビットが通信されることができる。ランク2のDL MIMOにおいて、2つ以上のダウンリンク層またはストリームが送信され、およびACK/NACKの2ビットが典型的に送られる。ここにおいて、各ビットは、特定の層またはストリームに対応し、追加的に、SRの1ビットが送られることができる。
【００７９】
DL SIMOと関連する第1のDL送信モードにおいて、ブロック904において、UEは、ACK/NACKチャネル上でQPSK変調を採用してACK/NACKの1ビットおよびSRの1ビットを送信する。DL MIMOランク1と関連する第2のDL送信モードにおいて、ブロック906において、UEは、ACK/NACKチャネル上でQPSK変調を採用してACK/NACKの1ビットおよびSRの1ビットを送信する。
【００８０】
DL MIMOランク２と関連する第3のDL送信モードにおいて、ブロック908において、ACK/NACK情報は、1ビットに限定され、および1ビットは、ブロック910において、ACK/NACKチャネル上でQPSK変調を採用してＳＲを通信するために使用されることができる。例示として、DL MIMOランク２送信の層またはストリームの両方が正しく受信される場合、ACK/NACKビットは、真または「ACK」にセットされることができ、そうでなければ、偽または「NACK」が送られる。
【００８１】
e-NBは、ブロック904、906、および910と関連するUEによって送信される通信の各々を処理するように構成されている。
【００８２】
図10を参照して、他の態様にしたがっているアップリンク制御チャネルのための強化型多重通信方法を例示するフローチャートが図示されている。ブロック1002において、UEのアップリンク送信モードが決定される。上で議論されたように、SRのための送信資源は、上位層シグナリング（例えば、L３シグナリング）によって事前に知られていてもよい。追加的に、受信機によってACK/NACK送信のために割り当てられる資源は、例えば、物理ダウンリンク共有チャネル（PDSCH）送信のための対応する物理ダウンリンク制御チャネル（PDCCH）割り当てへの明示的なマッピングによって事前に知られている。したがって、上の情報から、UEがSR送信のみを送るようにスケジュールされるか、またはACK/NACK送信のみを送るようにスケジュールされるか、またはSR送信およびACK/NACK送信の両方を送るようにスケジュールされるかが決定されることができる。
【００８３】
ブロック1004において、ダウンリンク送信がSRサブフレームに対応するかの決定がなされる。このケースにおいて、UEは、SR送信およびACK/NACK送信の両方を送るようにスケジュールされる。ダウンリンク送信がSRサブフレームに対応するならば、フローチャートは、ブロック1006に続く。ここにおいて、スケジューラーは、DL送信モードをUEに制限する。例えば、DL送信モードは、SIMOまたはランク1のMIMOのような単一層または単一ストリーム送信モードに制限されてもよい。それとして、ACKのために1ビットのみが必要とされ、1ビットは、SRを送信するために使用されることができる。したがって、UEは、ACK/NACKチャネル上でQPSK変調を採用してACK/NACKの1ビットおよびSRの1ビットを送信する。ブロック1004において、UEがSR送信およびACK/NACK送信の両方を送るようにスケジュールされていない場合、DL送信モードは、制限されず、MIMOランク2送信がイネーブルにされる。そのようなケースにおいて、SRビットは、必要とされず、ACK/NACKチャネル上でQPSK変調を採用して2ビットが使用される。ここにおいて、MIMOランク2送信と関連する各層またはストリームにつき1ビットである。リンクレベルのパフォーマンスがそれによって改善される。
【００８４】
図11を参照して、他の態様にしたがって、アップリンク制御チャネルのための強化型多重通信方法を例示するフローチャートが図示されている。ブロック1102において、UEは、ダウンリンク（DL）送信モードを決定する。図11の例において、DL単一入力複数出力（SIMO）、ランク1のDL MIMO、およびランク2のDL MIMOのケースが図示されている。DL SIMOおよびランク1のDL MIMOの両方において、ACK/NACKの1ビットおよびSRの1ビットが通信されることができる。ランク２のDL MIMOにおいて、ACK/NACKの2ビットが典型的に送られる。ここにおいて、各ビットは、特定の層に対応し、追加的に、SRの1ビットが送られることができる。
【００８５】
DL SIMOと関連する第1のDL送信モードにおいて、ブロック1104において、UEは、ACK/NACKチャネル上でQPSK変調を採用してACK/NACKの1ビットおよびSRの1ビットを送信する。DL MIMOランク1と関連する第2のDL送信モードにおいて、ブロック1106において、UEは、ACK/NACKチャネル上でQPSK変調を採用してACK/NACKの1ビットおよびSRの1ビットを送信する。
【００８６】
DL MIMOランク2と関連する第3のDL送信モードにおいて、ブロック1108において、UEは、ACK/NACKチャネル上で8PSK変調を採用してACK/NACKの2ビットおよびSRの1ビットを送信する。ランク２のMIMOユーザが典型的に内部ユーザであるので、8PSKとQPSKとの間のリンクレベルの差は、一般に、そのようなユーザの限定的要素とはならない。
【００８７】
前述によって、様々な態様が開示されてきたこと、そして以下の態様は例示的ではあるが網羅的ではないリストを具備していることが認識されるべきである。
【００８８】
1つの態様において、UEのアップリンク送信モードを決定すること、およびUEの決定されたアップリンク送信モードに基づいて非ACK/NACK資源上でACK/NACK情報を送信することを具備するアップリンク制御チャネルを多重化するための方法が提供される。他の態様において、UEがサービス要求とACK/NACKを同時に送信するようにスケジュールされるとき、ACK/NACK情報は、サービス要求資源上で送信されることができる。追加的な態様において、サービス要求資源上のACK/NACK情報の存在は、サービス要求をさらに示す。
【００８９】
代替的に、前記方法は、UEがサービス要求を送信するようにスケジュールされていて、かつ、ACK/NACKを送信するようにはスケジュールされていないとき、サービス要求資源上でサービス要求を送信することをさらに具備することができる。
【００９０】
他の代替として、前記方法は、UEがサービス要求を送信するようにスケジュールされていなくて、ACK/NACKを送信するようにスケジュールされているとき、ACK/NACK資源上でACK/NACKを送信することをさらに具備することができる。
【００９１】
追加的な代替として、前記方法は、UEがサービス要求およびACK/NACKを同時に送信するようにスケジュールされているとき、ACK/NACK資源上でACK/NACKを送信することをさらに具備することができる。ここにおいて、ACK/NACK資源上のACK/NACK情報の存在は、サービス要求の不存在をさらに示す。
【００９２】
さらなる態様において、UEのアップリンク送信モードを決定することによってアップリンク制御チャネルを受信し、UEからACK/NACK送信を得るために非ACK/NACK資源と一緒にACK/NACK資源をブラインド処理し、およびACK/NACK送信が非ACK/NACK資源から成功的に処理された場合、第２のチャネルのシグナリングを決定するための方法が提供される。他の追加の態様において、非ACK/NACK資源は、サービス要求資源であり、ここにおいて、第2のチャネルのシグナリングは、サービス要求のシグナリングを具備する。代替的に、前記方法は、ACK/NACK送信がACK/NACK資源から成功的に処理された場合、第2のチャネルのシグナリングの不存在を決定することをさらに具備することができる。特に、非ACK/NACK資源は、サービス要求資源であってもよく、ここにおいて、第2のチャネルのシグナリングの不存在を決定することは、サービス要求が送られなかったことを決定することを具備する。
【００９３】
さらに他の態様において、ACK/NACKフィードバック情報を複数のダウンリンク送信ストリームのための単一のビットに制限することによってアップリンク制御チャネルを多重化するための方法が提供される。ここにおいて、ACK/NACK情報およびサービス要求情報の第2のビットをACK/NACKチャネル上でQPSK変調する。
【００９４】
さらに追加の態様において、UEのアップリンク送信モードを決定することによってUEの送信モードをスケジューリングするための方法が提供される。ここにおいて、UEの決定されたアップリンク送信に基づいて、UEのダウンリンク送信モードを単一のストリームに限定する。他の態様において、UEがサービス要求およびACK/NACKを同時に送信するようにスケジュールされるとき、UEは、DL SIMOまたはランク1のDL MIMOに限定されることができる。
【００９５】
もう1つの態様において、UEのダウンリンク送信モードを決定することによってアップリンク制御チャネルを多重化し、UEの単一ストリーム・ダウンリンク送信モードのためのACK/NACKチャネル上でACK/NACK情報の単一ビットおよびサービス要求情報の第２のビットをQPSK変調し、およびUEの複数ストリーム・ダウンリンク送信モードのためのACK/NACKチャネル上でACK/NACK情報の複数のビットおよびサービス要求情報の第２のビットを8PSK変調するための方法が提供される。
【００９６】
追加の態様において、ワイヤレス通信システムにおいて動作可能な装置が提供される。UEのアップリンク送信モードを決定するための手段が提供される。UEの決定されたアップリンク送信モードに基づいて非ACK/NACK資源上でACK/NACK情報を送信するための手段が提供される。
【００９７】
さらなる態様において、ワイヤレス通信システムにおいて動作可能な装置が提供される。UEのアップリンク送信モードを決定するための手段が提供される。UEからACK/NACK送信を得るために非ACK/NACK資源と一緒にACK/NACK資源をブラインド処理するための手段が提供される。ACK/NACK送信が非ACK/NACK資源から成功的に処理された場合、第2のチャネルのシグナリングを決定するための手段が提供される。
【００９８】
さらに他の態様において、ワイヤレス通信システムにおいて動作可能である装置が提供される。複数のダウンリンク送信ストリームのためにACK/NACKフィードバック情報を単一のビットに限定するための手段が提供される。ACK/NACK情報の単一のビットおよびACK/NACKチャネル上でサービス要求情報の第2のビットをQPSK変調するための手段が提供される。
【００９９】
他の態様において、ワイヤレス通信システムにおいて動作可能である装置が提供される。UEのアップリンク送信モードを決定するための手段が提供される。UEの決定されたアップリンク送信モードに基づいてUEのダウンリンク送信モードを単一のストリームに制限するための手段が提供される。
【０１００】
追加の態様において、ワイヤレス通信システムにおいて動作可能である装置が提供される。UEのダウンリンク送信モードを決定するための手段が提供される。UEの単一ストリーム・ダウンリンク送信モードのためにACK/NACKチャネル上でACK/NACK情報の単一のビットおよびサービス要求情報の第2のビットをQPSK変調するための手段が提供される。UEの複数のストリーム・ダウンリンク送信モードのためにACK/NACKチャネル上でACK/NACK情報の複数のビットおよびサービス要求情報の第2のビットを8PSK変調するための手段が提供される。
【０１０１】
他の追加的な態様において、先に述べた方法のうちのいずれかを実行するように構成されている電子デバイスが提供される。
【０１０２】
1つの態様において、機械によって実行されるとき、UEのアップリンク送信モードを決定すること、およびUEの決定されたアップリンク送信モードに基づいて非ACK/NACK資源上でACK/NACK情報を送信することを含むオペレーションを機械に実施させるための命令を具備する機械可読媒体が提供される。
【０１０３】
他の態様において、機械によって実行されるとき、UEのアップリンク送信モードを決定すること、UEからのACK/NACK送信を得るために非ACK/NACK資源と一緒にACK/NACK資源をブラインド処理すること、およびACK/NACK送信が非ACK/NACK資源から成功的に処理された場合、第2のチャネルのシグナリングを決定することを含むオペレーションを機械に実施させるための命令を具備する機械可読媒体が提供される。
【０１０４】
さらなる態様において、機械によって実行されるとき、複数のダウンリンク送信ストリームのためにACK/NACKフィードバック情報を単一ビットに限定すること、およびACK/NACKチャネル上で、ACK/NACK情報の単一のビットおよびサービス要求情報の第2のビットをQPSK変調することを含むオペレーションを機械に実施させるための命令を具備する機械可読媒体が提供される。
【０１０５】
追加の態様において、機械によって実行されるとき、UEのアップリンク送信モードを決定すること、およびUEの決定されたアップリンク送信モードに基づいてUEのダウンリンク送信モードを単一のストリームに限定することを含むオペレーションを機械に実施させるための命令を具備する機械可読媒体が提供される。
【０１０６】
さらに他の態様において、機械によって実行されるとき、UEのダウンリンク送信モードを決定すること、UEの単一のストリーム・ダウンリンク送信モードのためにACK/NACKチャネル上でＡＣＫ／ＮＡＣＫ情報の単一ビットおよびサービス要求情報の第2のビットをQPSK変調すること、およびUEの複数のストリーム・ダウンリンク送信モードのためにACK/NACKチャネル上でサービス要求情報の第2のビットおよびACK/NACK情報の複数のビットを8PSK変調することを含むオペレーションを機械に実施させるための命令を具備する機械可読媒体が提供される。
【０１０７】
さらに他の追加の態様において、ワイヤレス通信システムにおいて動作可能である装置が提供される。プロセッサーは、UEのアップリンク送信モードを決定し、UEの決定されたアップリンク送信モードに基づいて非ACK/NACK資源上でACK/NACK情報を送信するように構成されている。メモリーは、データを記憶するためにプロセッサーに結合されている。
【０１０８】
1つのさらなる態様において、ワイヤレス通信システムにおいて動作可能である装置が提供される。プロセッサーは、UEのアップリンク送信モードを決定し、UEからのACK/NACK送信を得るために非ACK/NACK資源と一緒にACK/NACK資源をブラインド処理し、およびACK/NACK送信が非ACK/NACK資源から成功的に処理されたら第2のチャネルのシグナリングを決定するように構成されている。メモリーは、データを記憶するためにプロセッサーに結合されている。
【０１０９】
他の1つの態様において、ワイヤレス通信システムにおいて動作可能である装置が提供される。プロセッサーは、複数のダウンリンク送信ストリームのためにACK/NACKフィードバック情報を単一のビットに制限し、およびACK/NACKチャネル上でACK/NACK情報の単一のビットおよびサービス要求情報の第2のビットをQPSK変調するように構成されている。メモリーは、データを記憶するためにプロセッサーに結合されている。
【０１１０】
1つの態様において、ワイヤレス通信システムにおいて動作可能である装置が提供される。プロセッサーは、UEのアップリンク送信モードを決定し、およびUEの決定されたアップリンク送信モードに基づいてUEのダウンリンク送信モードを単一のストリームに限定するように構成されている。メモリーは、データを記憶するためにプロセッサーに結合されている。
【０１１１】
他の態様において、ワイヤレス通信システムにおいて動作可能である装置が提供される。プロセッサーは、UEのダウンリンク送信モードを決定し、UEの単一ストリーム・ダウンリンク送信モードのためにACK/NACKチャネル上でACK/NACK情報の単一のビットおよびサービス要求情報の第2のビットをQPSK変調し、およびUEの複数ストリーム・ダウンリンク送信のためにACK/NACKチャネル上でACK/NACK情報の複数のビットおよびサービス要求情報の第2のビットを8PSK変調するように構成されている。メモリーは、データを記憶するためにプロセッサーに結合されている。
【０１１２】
さらに他の追加の態様において、UEのアップリンク送信モードを決定することによってアップリンク制御チャネルを多重化するため、およびUEの決定されたアップリンク送信モードに基づいてアップリンク制御チャネル情報と関連していない資源上でアップリンク制御チャネル情報を送信するための方法が提供される。
【０１１３】
図12において、ベースノード1200は、多重化アップリンク制御チャネルをコンピュータに受信させるためのコードセットのようなモジュールを提供する計算プラットフォーム1202を有する。特に、計算プラットフォーム1202は、プロセッサー1212によって実行される複数のモジュール（例えば、電子コンポーネントまたは論理回路）1206-1210を記憶するコンピュータ可読記憶媒体（例えば、メモリー）1204を含む。プロセッサー1212はまた、eNBと通信するための送信機／受信機コンポーネント1214を制御する（図13）。特に、モジュール1206は、第１および第２の資源をそれぞれ割り当てられている第１および第２のチャネルが同時送信を要求していると決定するために提供される。モジュール1208は、第１および第２の制御チャネルのうち選択されなかった１つを示さないで、選択された１つを示すことのために、第１および第２の制御チャネルのうち選択された１つを、第１および第２の資源のうち当該対応する１つを用いて受信するために提供される。モジュール1210は、第１および第２の制御チャネルの両方を示すことのために、第１および第２の制御チャネルのうち選択された１つを、第１および第２の資源のうち当該対応していない１つを用いて受信するために提供される。
【０１１４】
図13において、ユーザ設備（UE）1300は、多重化アップリンク制御チャネルをコンピュータに送信させるためのコードセットのようなモジュールを提供する計算プラットフォーム1302を有する。特に、計算プラットフォーム1302は、プロセッサー1314によって実行される複数のモジュール（例えば、電子コンポーネントまたは論理回路）1306−1310を記憶するコンピュータ可読記憶媒体（例えば、メモリー）1304を含む。プロセッサー1314はまた、eNBと通信するための送信機／受信機コンポーネント1316を制御する（図12）。特に、モジュール1306は、第１および第２の資源をそれぞれ割り当てられている第１および第２の制御チャネルが同時送信を要求していると決定するために提供される。モジュール1308は、第１および第２の制御チャネルのうち選択されなかった１つを示さないで、選択された１つを示すことのために、第１および第２の制御チャネルのうち選択された１つを、第１および第２の資源のうち当該対応する１つを用いて送信するために提供される。モジュール1310は、第１および第２の制御チャネルの両方を示すことのために、第1および第2の制御チャネルのうち選択された１つを、第１および第２の資源のうち当該対応していない１つを用いて送信するために提供される。
【０１１５】
当業者であるならば、情報および信号は、任意の様々な異なる技術および技巧を使用して表わされることができることを理解するだろう。例えば、上記の説明の全体にわたって言及され得るデータ、命令、コマンド、情報、信号、ビット、シンボル、およびクリップは、電圧、電流、電磁波、磁気フィールドまたは分子、光フィールドまたは分子、または任意のそれらの組み合わせによって表わされてもよい。
【０１１６】
当業者であるならば、本件明細書において開示される実施形態と関係して説明される様々な例示的論理ブロック、モジュール、手段、電流、およびアルゴリズムステップは、電子ハードウェア、コンピュータ・ソフトウェア、またはこれら両方の組み合わせとして実装されることができることをさらに認識するだろう。ハードウェアおよびソフトウェアのこの互換性を明確に例示するために、様々な例示的コンポーネント、ブロック、モジュール、回路、およびステップがそれらの機能性の観点から上で一般に説明されている。そのような機能性がハードウェアとして実装されるかまたはソフトウェアとして実装されるかは、特定のアプリケーションおよび全体のシステム上に課される設計の制約に拠る。当業者は、各特定のアプリケーションのために様々な方法で、説明された機能性を実装することができる。しかし、そのような実装決定は、本件開示の範囲から逸脱を起こすものと解釈されるべきではない。
【０１１７】
1つまたは複数の例示的な実施形態において、説明された機能性は、ハードウェア、ソフトウェア、ファームウェア、または任意のそれらの組み合わせにおいて実装されてもよい。ソフトウェアで実装される場合、この機能性は、コンピュータ可読媒体上の1つまたは複数の命令またはコードとして記憶または送信されてもよい。コンピュータ可読媒体は、ある所から他の所へのコンピュータ・プログラムの転送を容易にする任意の媒体を含むコンピュータ記憶媒体および通信媒体の両方を含む。記憶媒体は、一般目的または特別目的のコンピュータによってアクセスされることができる任意の利用可能な媒体であってもよい。例として、次のものには制限されないが、そのようなコンピュータ可読媒体は、RAM、ROM，EEPROM、CD-ROM、または他の光ディスク記憶装置、磁気ディスク記憶または他の磁気記憶デバイス、または一般目的または特別目的コンピュータ、または一般目的または特別目的プロセッサーによってアクセスされることができる、命令またはデータ構造の形式で所望のプログラムコード手段を搬送または記憶するために使用されることができる任意の他の媒体を具備することができる。また、任意の接続がコンピュータ可読媒体と適切に呼ばれる。例えば、ソフトウェアが、同軸ケーブル、光ファイバーケーブル、より対線、デジタル加入者ライン（DSL）、またはワイヤレス技術（例えば、赤外線、無線、および電磁波）を使用して、ウェブサイト、サーバー、または他の遠隔ソースから送信される場合、当該同軸ケーブル、光ファイバーケーブル、より対線、ＤＳＬ、またはワイヤレス技術（例えば、赤外線、無線、および電磁波）は、媒体の定義に含まれる。本件明細書において使用されるように、ディスク（diskおよびdisc）は、コンパクトディスク（CD）、レーザーディスク（登録商標）、光ディスク、デジタル汎用ディスク（DVD）、フレキシブルディスク、およびブルーレイ（登録商標）ディスクを含む。ここにおいて、ディスク（disc）がレーザーにより光学的にデータを再生するのに対し、ディスク（disk）は、磁気的にデータを通常再生する。上記の組み合わせはまた、コンピュータ可読媒体の範囲内に含まれるべきである。
【０１１８】
本件明細書において開示された実施形態と関係して説明されている様々な例示的論理ブロック、モジュール、方法、および回路は、一般目的プロセッサー、デジタル信号プロセッサー（DSP）、特定用途集積回路（ASIC）、フィールド・プログラム可能なゲートアレー（FPGA）または他のプログラム可能な論理デバイス、離散ゲートまたはトランジスタ論理、離散ハードウェア・コンポーネント、または本件明細書において説明された機能を実施するように設計されている任意のそれらの組み合わせにより実装または実施されることができる。一般目的プロセッサーは、マイクロプロセッサであってもよいが、代替的に、プロセッサーは、任意の従来のプロセッサー、コントローラー、マイクロコントローラー、または状態機械であってもよい。プロセッサーはまた、コンピュータ計算デバイスの組み合わせ（例えば、DSPおよびマイクロプロセッサの組み合わせ、複数のマイクロプロセッサ、DSPコアと組み合わせた１つまたは複数のマイクロプロセッサ、または任意の他のそのような構成）として実装されてもよい。
【０１１９】
本件明細書において開示された実施形態に関係して説明された方法またはアルゴリズムのステップは、ハードウェアにおいて、プロセッサーによって実行されるソフトウェア・モジュールにおいて、またはそれら２つの組み合わせにおいて直接に具体化されることができる。ソフトウェア・モジュールは、RAMメモリー、フラッシュメモリー、ROMメモリー、EPROMメモリー、EEPROMメモリー、レジスター、ハードディスク、リムーバルディスク、CD-ROM、または当該技術分野で知られている任意の他の形式の記憶媒体内に常駐していてもよい。例示的な記憶媒体は、プロセッサーが、記憶媒体から情報を読み出す、および情報を書き込むことができるようにプロセッサーに結合されていてもよい。代替的に、記憶媒体は、プロセッサーに内蔵されていてもよい。プロセッサーおよび記憶媒体は、ASIC内に常駐していてもよい。ASICは、ユーザ端末内に常駐していてもよい。代替的に、プロセッサーおよび記憶媒体は、ユーザ端末内の離散的コンポーネントとして常駐していてもよい。
【０１２０】
本件開示の実施形態の前の説明は、当該技術者の誰もが本件開示の発明を作るまたは使用することを可能にするように提供されている。これらの実施形態への様々な修正が当該技術者に直ちに明白になり、および本件明細書において定義された一般原則は、本件開示の要旨または範囲から逸脱することのない範囲で他の実施形態に適用可能である。したがって、本件開示は、本件明細書において示されている実施形態に限定されるように意図されているのではなくて、本件明細書において開示されている原則および新規な特徴と一致した最も広い範囲が与えられるべきである。
【０１２１】
上で説明された例示的なシステムを考慮して、開示された主題にしたがって実装されることができる方法が、いくつかのフロー図への参照により説明されている。説明の単純化の目的のために、方法は、一連のブロックとして図示されおよび説明されているが、いくつかのブロックは、本件明細書において説明されるものとは異なる順番で生じてもよく、および／または他のブロックと同時に生じてもよいので、特許請求の範囲の主題は、ブロックの順番によって制限されないことが理解されおよび認識されるべきである。さらに、本件明細書において説明された方法を実装するために、すべての例示されたブロックが必要とされるわけではない。代替的に、本件明細書において開示された方法が、コンピュータにそのような方法を伝送および転送することを容易にするために製品上に記憶されることができる。本件明細書において使用されるように、製品という語は、任意のコンピュータ可読デバイス、搬送波、またはメディアからアクセス可能なコンピュータ・プログラムを含むように意図されている。
【０１２２】
参照によって本件明細書に組み込まれていると言われている何らかの特許、出版物、または他の開示された資料のすべてまたは一部は、組み込まれている資料が本件開示において述べられた既存の定義、陳述または他の開示された資料と抵触しない程度でのみ本件明細書において組み込まれていることが認識されるべきである。それとして、必要な程度で、本件明細書において明白に述べられたような開示は、参照によって本件明細書に組み込まれている任意の抵触する資料に優先する。参照によって本件明細書に組み込まれていると言われている何らかの資料またはその一部であって、既存の定義、陳述、または本件明細書記載の他の開示資料と抵触するものは、当該組み込まれている資料と既存の開示資料との間で抵触が生じない限りにおいて組み込まれるものとする。
【図１】
2011511603.tif 000003
【図２】
2011511603.tif 000004
【図３】
2011511603.tif 000005
【図４】
2011511603.tif 000006
【図５】
2011511603.tif 000007
【図６】
2011511603.tif 000008
【図７】
2011511603.tif 000009
【図８】
2011511603.tif 000010
【図９】
2011511603.tif 000011
【図１０】
2011511603.tif 000012
【図１１】
2011511603.tif 000013
【図１２】
2011511603.tif 000014
【図１３】
2011511603.tif 000015
【国際調査報告】
2011511603.tif 000016
2011511603.tif 000017